(57)【要約】      （修正有）【課題】無電極放電ランプにおいて、誘導コイルの巻き始め位置からボビンの上端の鍔部までの距離を短くして、誘導コイルの巻き数増加又はバルブに対する誘導コイルの相対的な位置をキャビティの底部に近づける。【解決手段】パワーカプラ２０は、１対のコア２５と、ボビン２４の外周部に巻回された誘導コイル２６を備え、一対の柱状部２４ｂの少なくとも一方は、誘導コイルの電線２６ａをガイドする第１ガイド溝２４ｇを有し、鍔部２４ａは、一対の柱状部２４ｂの少なくとも一方との連結部近傍で、第１ガイド溝２４ｇと連通し、キャビティ５の中心軸に直交する方向に形成された第２ガイド溝２４ｈと、第２ガイド溝２４ｈに連通し、第１ガイド溝２４ｇに平行な第３ガイド溝２４ｉを有し、誘導コイルの電線２６ａを、第１ガイド溝２４ｇ、第２ガイド溝２４ｈ及び第３ガイド溝２４ｉに沿って配線して、誘導コイルの巻き始め部をガイドし、かつ固定する。【選択図】図３
2008210538.tif 000002
【特許請求の範囲】
【請求項１】
透光性材料で形成され、略円筒状のキャビティを有し、内部に放電ガスが封止されたバルブと、前記バルブのキャビティに嵌装され、前記放電ガスを励起して発光させるための高周波電磁界を発生させるパワーカプラを備えた無電極放電ランプであって、
前記パワーカプラは、
前記バルブのキャビティに嵌装された状態で、前記キャビティの底に対向する鍔部と、前記鍔部から前記キャビティの中心軸方向に突出するように形成された一対の柱状部を有する樹脂製のスケルトン形状のボビンと、
軟磁性体で形成され、前記キャビティの中心軸方向に直交する断面が略円弧状であり、前記ボビンの開口部に嵌装された少なくとも１対のコアと、
前記ボビンの一対の柱状部と前記コアで形成される円筒面の外周部に巻回された誘導コイルを備え、
前記一対の柱状部の少なくとも一方は、前記キャビティの中心軸に平行に、前記誘導コイルを形成する電線をガイドする第１ガイド溝を有し、
前記鍔部は、前記一対の柱状部の少なくとも一方との連結部近傍において、前記第１ガイド溝と連通し、前記キャビティの中心軸に直交する方向に形成された第２ガイド溝と、前記第２ガイド溝に連通し、前記第１ガイド溝に平行な第３ガイド溝を有し、
前記誘導コイルを形成する電線を、前記第１ガイド溝、前記第２ガイド溝及び前記第３ガイド溝に沿って配線することにより、前記誘導コイルの巻き始め部をガイドし、かつ固定したことを特徴とする無電極放電ランプ。
【請求項２】
前記第３ガイド溝は、前記鍔部の外周に沿って複数箇所に設けられていることを特徴とする請求項１に記載の無電極放電ランプ。
【請求項３】
前記鍔部は筒状であり、その開口部の内径は、前記コアの略円弧状断面の外径とほぼ等しいことを特徴とする請求項１又は２に記載の無電極放電ランプ。
【請求項４】
前記鍔部の前記コアと対向する部分に、前記コアの先端部分の突部が嵌合される切り欠きが形成されていることを特徴とする請求項１又は２に記載の無電極放電ランプ。
【請求項５】
透光性材料で形成され、略円筒状のキャビティを有し、内部に放電ガスが封止されたバルブと、前記バルブのキャビティに嵌装され、前記放電ガスを励起して発光させるための高周波電磁界を発生させるパワーカプラを備えた無電極放電ランプと、前記パワーカプラに高周波電流を供給する点灯回路を備えた照明器具であって、
前記パワーカプラは、
前記バルブのキャビティに嵌装された状態で、前記キャビティの底に対向する鍔部と、前記鍔部から前記キャビティの中心軸方向に突出するように形成された一対の柱状部を有する樹脂製のスケルトン形状のボビンと、
軟磁性体で形成され、前記キャビティの中心軸方向に直交する断面が略円弧状であり、前記ボビンの開口部に嵌装された少なくとも１対のコアと、
前記ボビンの一対の柱状部と前記コアで形成される円筒面の外周部に巻回された誘導コイルを備え、
前記一対の柱状部の少なくとも一方は、前記キャビティの中心軸に平行に、前記誘導コイルを形成する電線をガイドする第１ガイド溝を有し、
前記鍔部は、前記一対の柱状部の少なくとも一方との連結部近傍において、前記第１ガイド溝と連通し、前記キャビティの中心軸に直交する方向に形成された第２ガイド溝と、前記第２ガイド溝に連通し、前記第１ガイド溝に平行な第３ガイド溝を有し、
前記誘導コイルを形成する電線を、前記第１ガイド溝、前記第２ガイド溝及び前記第３ガイド溝に沿って配線することにより、前記誘導コイルの巻き始め部をガイドし、かつ固定したことを特徴とする照明器具。
【発明の詳細な説明】
【技術分野】
【０００１】
本発明は、放電ガスを封入したバルブ内には電極を持たず、誘導コイルに高周波電流を通電して形成した高周波電磁界を放電ガスに作用させることにより、放電ガスを放電させる無電極放電ランプ及びそれを備えた照明器具に関する。
【背景技術】
【０００２】
無電極放電ランプは、誘導コイルに高周波電流を流すことで発生する高周波電磁界によって、バルブ内に封入した放電ガスを励起し、このとき放射された紫外線が蛍光体材料より可視光に変換されるようになっている。無電極放電ランプ装置は、内部に電極を持たない構造となっているため、電極の劣化による不点灯がなく、一般の蛍光灯に比べて長寿命である。
【０００３】
例えば特許文献１に示された一般的な構造の無電極放電ランプは、内部に放電ガス及び最冷点温度で制御される水銀が封入されたバルブと、高周波電磁界を発生させるパワーカプラで構成され、バルブの中央部に形成された円筒状のキャビティにパワーカプラが嵌装され、バルブの内側から高周波電磁界を発生させている。ところで、パワーカプラにより発生される高周波電磁界の強度は、その他の条件が同じであれば、パワーカプラの誘導コイルの巻き数に比例する。従って、無電極放電ランプを構成するバルブやパワーカプラの各部の寸法及び形状を同じにすると仮定して、パワーカプラの誘導コイルの巻き数をより多くすることが望ましい。また、バルブは球状体の中心軸に沿って円筒状のキャビティが形成されたものが一般的であり、円筒状キャビティの開口部、すなわちパワーカプラの根元部が無電極放電ランプの背面、円筒状キャビティの底部に対向する部分、すなわち球状体の頂上が無電極放電ランプの正面になる。そのため、正面から見て、バルブ全体をなるべく均一に発光させるためには、円筒状キャビティの底部近傍に至るまで誘導コイルが設置されていることが好ましい。
【０００４】
従来の無電極放電ランプにおけるパワーカプラの構成を図６に示す。パワーカプラ２０は、例えばアルミダイキャスト成型品２２と銅パイプ２３の複合体であるシリンダ２１と、シリンダ２１の外周部に嵌装されるスケルトン形状の樹脂製のボビン２４と、ボビン２４の開口部に嵌合されるコア２５と、ボビン２４及びコア２５で形成された円筒面に巻回された誘導コイル２６などで構成されている。
【０００５】
図７は、誘導コイル２６を上記円筒面に巻回した状態を示す。ボビン２４の柱状部２４ｂには、誘導コイル２６の巻き始め部をガイドし、かつ固定するための突起３１が形成されている。誘導コイル２６を構成する電線２６ａは、柱状部２４ｂに形成されたガイド溝２４ｇに沿って上方に引き出され、その上から電線２６ａとコア２５の絶縁を確保するために、柱状部２４及びコア２５の外周面に絶縁テープ（図示せず）が貼付されている。ガイド溝２４ａと絶縁テープの隙間から引き出された電線２６ａは、突起３１の外周部に１回巻き付けられた後、さらに絶縁テープの上から円筒面に沿って、図中下向きに螺線状に巻回されている。
【０００６】
このような従来の構成によれば、誘導コイル２６の巻き始めに突起３１に１回巻き付けなければならないため、突起３１（又は誘導コイル２６の巻き始め位置）からボビン２４の上端の鍔部まで所定の距離Ｘ（例えば、１０ｍｍ程度）必要である。そのため、誘導コイル２６の巻き数を増加させること、あるいはバルブに対する誘導コイルの相対的な位置をキャビティの底部に近づけることが困難であった。
【０００７】
【特許文献１】特開２００６−１２６３０号公報
【発明の開示】
【発明が解決しようとする課題】
【０００８】
本発明は、上記従来例の問題を解決するためになされたものであり、誘導コイルの巻き始め位置からボビンの上端の鍔部までの距離を短くして、誘導コイルの巻き数増加又はバルブに対する誘導コイルの相対的な位置をキャビティの底部に近づけることが可能な無電極放電ランプ及びそれを備えた照明器具を提供することを目的とする。
【課題を解決するための手段】
【０００９】
上記目的を達成するために請求項１の発明は、透光性材料で形成され、略円筒状のキャビティを有し、内部に放電ガスが封止されたバルブと、前記バルブのキャビティに嵌装され、前記放電ガスを励起して発光させるための高周波電磁界を発生させるパワーカプラを備えた無電極放電ランプであって、
前記パワーカプラは、前記バルブのキャビティに嵌装された状態で、前記キャビティの底に対向する鍔部と、前記鍔部から前記キャビティの中心軸方向に突出するように形成された一対の柱状部を有する樹脂製のスケルトン形状のボビンと、軟磁性体で形成され、前記キャビティの中心軸方向に直交する断面が略円弧状であり、前記ボビンの開口部に嵌装された少なくとも１対のコアと、前記ボビンの一対の柱状部と前記コアで形成される円筒面の外周部に巻回された誘導コイルを備え、
前記一対の柱状部の少なくとも一方は、前記キャビティの中心軸に平行に、前記誘導コイルを形成する電線をガイドする第１ガイド溝を有し、
前記鍔部は、前記一対の柱状部の少なくとも一方との連結部近傍において、前記第１ガイド溝と連通し、前記キャビティの中心軸に直交する方向に形成された第２ガイド溝と、前記第２ガイド溝に連通し、前記第１ガイド溝に平行な第３ガイド溝を有し、
前記誘導コイルを形成する電線を、前記第１ガイド溝、前記第２ガイド溝及び前記第３ガイド溝に沿って配線することにより、前記誘導コイルの巻き始め部をガイドし、かつ固定したことを特徴とする。
【００１０】
請求項２の発明は、請求項１に記載の無電極放電ランプにおいて、前記第３ガイド溝は、前記鍔部の外周に沿って複数箇所に設けられていることを特徴とする。
【００１１】
請求項３の発明は、請求項１又は２に記載の無電極放電ランプにおいて、前記鍔部は筒状であり、その開口部の内径は、前記コアの略円弧状断面の外径とほぼ等しいことを特徴とする。
【００１２】
請求項４の発明は、請求項１又は２に記載の無電極放電ランプにおいて、前記鍔部の前記コアと対向する部分に、前記コアの先端部分の突部が嵌合される切り欠きが形成されていることを特徴とする。
【００１３】
請求項５の発明は、透光性材料で形成され、略円筒状のキャビティを有し、内部に放電ガスが封止されたバルブと、前記バルブのキャビティに嵌装され、前記放電ガスを励起して発光させるための高周波電磁界を発生させるパワーカプラを備えた無電極放電ランプと、前記パワーカプラに高周波電流を供給する点灯回路を備えた照明器具であって、
前記パワーカプラは、前記バルブのキャビティに嵌装された状態で、前記キャビティの底に対向する鍔部と、前記鍔部から前記キャビティの中心軸方向に突出するように形成された一対の柱状部を有する樹脂製のスケルトン形状のボビンと、軟磁性体で形成され、前記キャビティの中心軸方向に直交する断面が略円弧状であり、前記ボビンの開口部に嵌装された少なくとも１対のコアと、前記ボビンの一対の柱状部と前記コアで形成される円筒面の外周部に巻回された誘導コイルを備え、
前記一対の柱状部の少なくとも一方は、前記キャビティの中心軸に平行に、前記誘導コイルを形成する電線をガイドする第１ガイド溝を有し、
前記鍔部は、前記一対の柱状部の少なくとも一方との連結部近傍において、前記第１ガイド溝と連通し、前記キャビティの中心軸に直交する方向に形成された第２ガイド溝と、前記第２ガイド溝に連通し、前記第１ガイド溝に平行な第３ガイド溝を有し、
前記誘導コイルを形成する電線を、前記第１ガイド溝、前記第２ガイド溝及び前記第３ガイド溝に沿って配線することにより、前記誘導コイルの巻き始め部をガイドし、かつ固定したことを特徴とする。
【発明の効果】
【００１４】
請求項１の発明によれば、誘導コイルの巻き始め部が、ボビンの柱状部に形成された第１ガイド溝と、鍔部に形成された第２ガイド溝及び第３ガイド溝によりガイドされ、固定されるため、誘導コイルを鍔部の直近から巻き始めることができる。そのため、無電極放電ランプを構成するバルブやパワーカプラの各部の寸法及び形状を同じにする場合、従来のものと比較して、パワーカプラの誘導コイルの巻き数をより多くすることができる。あるいは、バルブに対する誘導コイルの相対的な位置をキャビティの底部に近づけることが可能となる。その結果、無電極放電ランプの発光量の増加（輝度の向上）及び発光の均一化を図ることができる。
【００１５】
請求項２の発明によれば、鍔部の外周に沿って第３ガイド溝が複数箇所設けられているので、電線を配線する第３ガイド溝を適宜選択することにより、誘導コイルのインダクタンス値を微調整することができる。
【００１６】
請求項３の発明によれば、コアを鍔部の内側にまで設けることができるので、誘導コイルの巻き数増加又はバルブに対するコアの相対的な位置をキャビティの底部に近づけることが可能となる。その結果、パワーカプラにより発生される高周波電磁界の向きの制御が容易になり、無電極放電ランプの発光の均一化を図ることができる。
【００１７】
請求項４の発明によれば、コアの突部が鍔部の側壁に嵌合され、補強として機能するので、ボビンの機械的な強度を向上させることができる。また、コアの一部を鍔部の内側にまで設けることができるので、請求項３の場合と同様に、誘導コイルの巻き数増加又はバルブに対するコアの相対的な位置をキャビティの底部に近づけることが可能となる。その結果、パワーカプラにより発生される高周波電磁界の向きの制御が容易になり、無電極放電ランプの発光の均一化を図ることができる。
【００１８】
請求項５の発明によれば、請求項１の場合と同様に、無電極放電ランプを備えた照明器具の輝度の向上及び発光の均一化を図ることができる。
【発明を実施するための最良の形態】
【００１９】
本発明の一実施形態に係る無電極放電ランプ及びそれを備えた照明器具について説明する。図１は、本実施形態に係る無電極放電ランプの構成を示す。
【００２０】
無電極放電ランプ１は、内部に放電ガス及び水銀が封入されたバルブ１０と、高周波電磁界を発生させるパワーカプラ２０を備えている。バルブ１０は、ガラスなどの透光性材料で形成され、円形開口を有する略球状体の容器１４と、容器１４の円形開口１２に溶着され、略円筒状のキャビティ５とキャビティ５の中央部に形成された排気管８を有する封止部材１１などで構成された密封容器である。
【００２１】
パワーカプラ２０は、従来例と同様に、例えばアルミダイキャスト成型品２２と銅パイプ２３の複合体であるシリンダ２１と、シリンダ２１の外周部に嵌装されるスケルトン形状の樹脂製のボビン２４と、ボビン２４の開口部に嵌合される軟磁性体で形成されたコア２５と、ボビン２４及びコア２５で形成された円筒面に巻回され、誘導電界を発生する誘導コイル２６などで構成され、上記排気管８がその中心に位置するようにキャビティ５に嵌合されている。
【００２２】
球形の容器１４の内周面及び封止部材１１のキャビティ５の外周面には、保護膜及び蛍光体膜が塗布されている（図示せず）。なお、蛍光体の結着剤としてＡｌ２Ｏ３のような金属酸化物を用い、その添加量を増やすことにより蛍光体膜を保護し、蛍光体の劣化を防いでいる。結着剤として、Ａｌ２Ｏ３の他に、Ｙ２Ｏ３やＭｇＯなどを用いることができる。バルブ１０の内部には、例えばアルゴンやクリプトンなどの希ガス（放電ガス）が封入されている。
【００２３】
バルブ１０の底部付近のバルブネック部１９には、樹脂材料などで形成された口金１５が接着などによって取り付けられている。口金１５及びパワーカプラ２０の台座部には、それぞれ図示しないバヨネット構造などの取り付け構造が設けられており、口金１５と一体化されたバルブ１０がパワーカプラ２０に着脱可能に装着されている。
【００２４】
図２は、無電極放電ランプを備えた照明器具３０の構成を示す。無電極放電ランプ１を構成するパワーカプラ２０は、放熱板３１に固定されており、放熱板３１が建物の天井、側壁、床などに取り付けられる。パワーカプラ２０の誘導コイル２６（図２では図示せず）の端部は電線３２を介して点灯回路３３に接続されている。そして、口金１５と一体化されたバルブ１０が、パワーカプラ２０と嵌合されることによって、無電極放電ランプ１を備えた照明器具３０が構成される。なお、パワーカプラ２０の誘導コイルに通電する高周波電流が数百ｋＨｚという低い周波数のため、誘導コイルの内側にコア（磁芯）が設けられている。
【００２５】
パワーカプラ２０の誘導コイルに高周波電流を流すと、誘導コイルの周囲に高周波電磁界が発生する。この高周波電磁界によりバルブ１０の内部の電子が加速され、電子の衝突により電離が起こり、放電が発生する。放電中、バルブ１０の内部に封入された放電ガスが励起され、励起された原子が基底状態に戻るときに紫外線を発生する。この紫外線は、バルブ１０の内周面に塗布された蛍光体膜により可視光に変換される。可視光は、バルブ１０の容器１４を透過して外部に放出される。
【００２６】
図３（ａ）は、ボビン２４にコア２５を嵌装させた状態を示す。また、図３（ｂ）は、ボビン２４の一対の柱状部２４ｂとコア２５で形成される円筒面の外周部に誘導コイル２６を巻回した状態を示す。ボビン２４は、図７に示す従来例と同様に、スケルトン形状であり、バルブ１０のキャビティ５に嵌装された状態で、キャビティ５の底５ａに対向する鍔部２４ａと、鍔部２４ａからキャビティ５の中心軸方向に突出するように形成された一対の柱状部２４ｂを有する。コア２５は、ボビン２４の開口部に嵌装されるように、キャビティ５の中心軸方向に直交する断面が略円弧状であり、キャビティ５の中心軸に対して対象に１対設けられていてもよいし、あるいは図７に示すように、中心軸方向に２対設けられていてもよい。
【００２７】
ボビン２４の一対の柱状部２４ｂのうち少なくとも一方には、キャビティ５の中心軸に平行に、誘導コイル２６を形成する電線２６ａをガイドする第１ガイド溝２４ｇが形成されている。また、鍔部２４ａには、一対の柱状部２４ｂの少なくとも一方との連結部近傍において、第１ガイド溝２４ｇと連通し、キャビティ５の中心軸に直交する方向に形成された第２ガイド溝２４ｈと、第２ガイド溝２４ｈに連通し、第１ガイド溝２４ｇに平行な第３ガイド溝２４ｉが形成されている。図３（ａ）に示す構成例では、鍔部２４ａは円盤状であり、第２ガイド溝２４ｇは、円盤状の鍔部２４ａの全周にわたって形成され形成されている。第３ガイド溝２４ｉは、１つの第１ガイド溝２４ｇに対して１箇所に設けられていてもよいし、複数箇所に設けられていてもよい。後者の場合、電線２６ａを配線する第３ガイド溝を適宜選択することにより、誘導コイル２６の巻き数を１巻き以下の範囲で微調整することができ、結果的に誘導コイル２６のインダクタンス値を微調整することができる。なお、誘導コイル２６を巻回する際の２４の無方向性を考慮すると、第１ガイド溝２４ｇ及び第３ガイド溝２４ｉは、両方の柱状部２４ｂ及びその近傍に設けられていることが好ましい。
【００２８】
図３（ａ）において矢印で示すように、電線２６ａを、まず第１ガイド溝２４ｇに沿って上方に引き出し、その上から電線２６ａとコア２５の絶縁を確保するために、柱状部２４及びコア２５の外周面に絶縁テープ（図示せず）が貼付する。その状態で、電線２６ａの向きを９０度曲げ、第２ガイド溝２４ｈに沿って配線する。さらに、第３ガイド溝２４ｉに沿うように電線２６ａの配線方向を９０度曲げ、第１ガイド溝２４ｇに沿って配線された部分と平行にする。その結果、電線２６ａが、第１ガイド溝２４ｇ、第２ガイド溝２４ｈ及び第３ガイド溝２４ｉに沿って配線され、誘導コイル２６の巻き始め部がガイドされ、かつ固定される。その後、電線２６ａは、絶縁テープの上から柱状部２４及びコア２５で構成される円筒面に沿って、図中下向きに螺線状に巻回され、誘導コイル２６が形成される。
【００２９】
なお、図３（ａ）及び（ｂ）に示すように、鍔部２４ａにおける第１ガイド溝２４ｇと第３ガイド溝２４ｉ（又は各第３ガイド溝２４ｉ）の間の部分２４ｊは、他の部分よりも厚く、すなわち、誘導コイル２６側に突出するように形成してもよい。それにより、鍔部２４ａの端面と誘導コイル２６の巻き始め部の間に一定の距離を確保することができ、第３ガイド溝２４ｉから引き出された電線２６ａを上記円筒面に巻回しやすくなる。
【００３０】
このように、本実施形態に係る無電極放電ランプ１によれば、誘導コイル２６の巻き始め部を、ボビン２４の柱状部２４ｂに形成された第１ガイド溝２４ｇと、鍔部２４ａに形成された第２ガイド溝２４ｈ及び第３ガイド溝２４ｉによりガイドし、固定することにより、誘導コイル２６を鍔部２４ａの直近から巻き始めることができる。そのため、無電極放電ランプ１を構成するバルブ１０やパワーカプラ２０の各部の寸法及び形状を従来のものと同じにした場合、従来のものと比較して、パワーカプラ２０の誘導コイル２６の巻き数をより多くすることができる。あるいは、バルブ１０に対する誘導コイル２６の相対的な位置をキャビティの底部に近づけることが可能となる。その結果、無電極放電ランプ１及びそれを用いた照明器具の発光量の増加（輝度の向上）及び発光の均一化を図ることができる。
【００３１】
次に、本実施形態の変形例について説明する。図３（ａ）及び（ｂ）に示す構成例では、コア２５は鍔部２４ａを貫通していないが、図４に示すように、鍔部２４ａを筒状とし、その開口部２４ｃの内径をコア２５の略円弧状断面の外径とほぼ等しくしてもよい。それにより、コア２５を鍔部２４ａを貫通して、鍔部２４ａの内側にまで設けることができるので、誘導コイル２６の巻き数増加又はバルブ１０に対するコア２５の相対的な位置をキャビティ５の底部に近づけることが可能となる。
【００３２】
あるいは、図５に示すように、鍔部２４ａの２５コアと対向する部分に、コア２５の先端部分の突部２５ａが嵌合される切り欠き２４ｄを形成してもよい。それにより、コア２５の突部２５ａが鍔部２４ａの側壁に嵌合され、補強として機能するので、ボビン２４の機械的な強度を向上させることができる。また、コア２５の一部を鍔部２４ａの内側にまで設けることができるので、図４に示す場合と同様に、誘導コイル２６の巻き数増加又はバルブ１０に対するコア２５の相対的な位置をキャビティ５の底部に近づけることが可能となる。その結果、パワーカプラ２０により発生される高周波電磁界の向きの制御が容易になり、無電極放電ランプ１の発光の均一化を図ることができる。
【図面の簡単な説明】
【００３３】
【図１】本発明の一実施形態に係る無電極放電ランプの構成を示す断面図。
【図２】上記無電極放電ランプを用いた照明装置の構成を示す斜視図。
【図３】（ａ）はボビンにコアを嵌装させた状態を示す側面図、（ｂ）はボビンの柱状部とコアで形成される円筒面の外周部に誘導コイルを巻回した状態を示す側面図。
【図４】本実施形態の変形例におけるボビン及びコアの構成を示す斜視図。
【図５】本実施形態の他の変形例におけるボビン及びコアの構成を示す斜視図。
【図６】（ａ）〜（ｃ）は、それぞれ従来の無電極放電ランプにおけるパワーカプラの構成を示す斜視図。
【図７】従来例における誘導コイルをボビンの柱状部とコアで形成される円筒面に巻回した状態を示す側面図。
【符号の説明】
【００３４】
１  無電極放電ランプ
５  キャビティ
５ａ  （キャビティの）底
１０  バルブ
２０  パワーカプラ
２４  ボビン
２４ａ  鍔部
２４ｂ  柱状部
２４ｃ  開口部
２４ｄ  切り欠き
２４ｇ  第１ガイド溝
２４ｈ  第２ガイド溝
２４ｉ  第３ガイド溝
２５  コア
２５ａ  突部
２６  誘導コイル
２６ａ  電線
３０  照明器具
【図１】
2008210538.tif 000003
【図２】
2008210538.tif 000004
【図３】
2008210538.tif 000005
【図４】
2008210538.tif 000006
【図５】
2008210538.tif 000007
【図６】
2008210538.tif 000008
【図７】
2008210538.tif 000009